(57)【要約】【課題】意匠性を確保するとともに、落下時におけるケース部材の分離の防止を図る。【解決手段】ケースは、底面および側面を有する第１のケース部材１１と、第１のケース部材１１の開口部を覆う第２のケース部材１０により構成されており、第１のケース部材１１における側面は、釦型電池１２と回路基板１５の積層方向の中央部が外側に膨らむように丸みを帯びており、第１のケース部材１１と第２のケース部材１０のケース外面の接合部Ｊが、第１のケース部材１１の側面の側方向の最大径Ｌ０よりも小さい径Ｌ１の位置に配置されている。【選択図】図４
2012044647.tif 000002
【特許請求の範囲】
【請求項１】
釦型電池と、アンテナを配置した回路基板とを積層するようにケース内に収納して構成され、前記釦型電池を電源として前記アンテナより送信電波を送信する携帯型送信機であって、
前記ケースは、底面および側面を有する第１のケース部材（１１）と、当該第１のケース部材（１１）の開口部を覆う第２のケース部材（１０）により構成されており、
前記第１のケース部材（１１）における側面は、前記釦型電池（１２）と前記回路基板（１５）の積層方向の中央部が外側に膨らむように丸みを帯びており、
前記第１のケース部材（１１）と前記第２のケース部材（１０）のケース外面の接合部（Ｊ）が、前記第１のケース部材（１１）の側面の側方向の最大径（Ｌ０）よりも小さい径（Ｌ１）の位置に配置されていることを特徴とする携帯型送信機。
【請求項２】
前記第１のケース部材（１１）は、前記釦型電池（１２）と前記回路基板（１５）の積層方向に延びる第１の係止部（１１ｂ）を有し、
前記第２のケース部材（１０）は、前記釦型電池（１２）と前記回路基板（１５）の積層方向に延びる第２の係止部（１０ａ）を有し、
前記第１のケース部材（１１）における前記第１の係止部（１１ｂ）と前記第２のケース部材（１０）における前記第２の係止部（１０ａ）とが互いに係止し合い、第１のケース部材（１１）と第２のケース部材（１０）とが嵌合していることを特徴とする請求項に記載の携帯型送信機。
【請求項３】
前記第１のケース部材（１１）の開口縁部と、前記第２のケース部材（１０）の周縁部には、それぞれネジ山が形成されており、
前記第２のケース部材（１０）を前記第１のケース部材（１１）にネジ締めして前記第１のケース部材（１１）と前記第２のケース部材（１０）とが固定されていることを特徴とする請求項１に記載の携帯型送信機。
【請求項４】
前記第１のケース部材（１１）の側面は、前記前記第１のケース部材（１１）の底面および前記第２のケース部材（１０）よりも肉厚となっていることを特徴とする請求項１ないし３のいずれか１つに記載の携帯型送信機。
【発明の詳細な説明】
【技術分野】
【０００１】
本発明は、電池および回路基板を積層するようにケース内に収納して構成され、電池を電源として電波を送信する携帯型送信機に関するものである。
【背景技術】
【０００２】
従来、電池および回路基板を積層するようにケース内に収納して構成され、電池を電源として電波を送信する携帯型送信機が種々提案されている（例えば、特許文献１参照）。
【先行技術文献】
【特許文献】
【０００３】
【特許文献１】特開２００４−１５３５２６号公報
【発明の概要】
【発明が解決しようとする課題】
【０００４】
上記特許文献１に記載された携帯型送信機は、製品の組み立て易さ等を考慮して、表側ケース部材のケース外面と裏側ケース部材のケース外面の接合部がケース側面の中央に位置するように構成されている。
【０００５】
しかし、上記特許文献１に記載されたような携帯型送信機は、表側ケース部材と裏側ケース部材のケース外面の接合部がケース側面の中央に位置するようになっているので、誤って落としてしまったときに、表側ケース部材と裏側ケース部材のケース外面の接合部に直接衝撃が伝わり易い。このため、表側ケース部材と裏側ケース部材のケース外面の接合部が変形して、表側ケース部材と裏側ケース部材とが分離し易く、ケース内に収納された電池や回路基板等がケースから飛び出してしまうといった問題がある。特に、このような携帯型送信機は、携帯電話やキーホルダ等に取り付けて使用される場合が多く、誤って落としてしまう頻度が高く、表側ケース部材と裏側ケース部材とが容易に分離してしまうのは好ましくない。また、携帯型送信機の小型化のため、ケースの肉厚を薄くすると、落下時における衝撃でケースが変形し易く、表側ケース部材と裏側ケース部材とが分離する頻度が高くなってしまう。
【０００６】
また、表側ケース部材のケース外面と裏側ケース部材のケース外面の接合部がケース側面の中央に位置すると、ケース外面の接合部が視認され易くよく目立つため、見栄えが悪く意匠面が低下してしまう。
【０００７】
なお、表側ケース部材と裏側ケース部材をネジ部材を用いてネジ固定することにより落下時におけるケース部材の分離を防止することも考えられるが、このような構成では、ネジ山の部分が露出してしまうため意匠性が低下してしまう。
【０００８】
本発明は上記問題に鑑みたもので、意匠性を確保するとともに、落下時におけるケース部材の分離の防止を図ることを目的とする。
【課題を解決するための手段】
【０００９】
上記目的を達成するため、請求項１に記載の発明は、釦型電池と、アンテナを配置した回路基板とを積層するようにケース内に収納して構成され、釦型電池を電源としてアンテナより送信電波を送信する携帯型送信機であって、ケースは、底面および側面を有する第１のケース部材（１１）と、当該第１のケース部材（１１）の開口部を覆う第２のケース部材（１０）により構成されており、第１のケース部材（１１）における側面は、釦型電池（１２）と回路基板（１５）の積層方向の中央部が外側に膨らむように丸みを帯びており、第１のケース部材（１１）と第２のケース部材（１０）のケース外面の接合部（Ｊ）が、第１のケース部材（１１）の側面の側方向の最大径（Ｌ０）よりも小さい径（Ｌ１）の位置に配置されていることを特徴としている。
【００１０】
このような構成によれば、ケースは、底面および側面を有する第１のケース部材（１１）と、第１のケース部材（１１）の開口部を覆う第２のケース部材（１０）により構成されており、第１のケース部材（１１）における側面は、釦型電池（１２）と回路基板（１５）の積層方向の中央部が外側に膨らむように丸みを帯びており、第１のケース部材（１１）と第２のケース部材（１０）のケース外面の接合部（Ｊ）が、第１のケース部材（１１）の側面の側方向の最大径（Ｌ０）よりも小さい径（Ｌ１）の位置に配置されているので、ケース外面の接合部（Ｊ）が目立たないようにすることができ、意匠性を確保することができる。また、落下等によりケース側面が地面等に接触しても、第１のケース部材（１１）における側面は、釦型電池（１２）と回路基板（１５）の積層方向の中央部が外側に膨らむように丸みを帯びており、また、第１のケース部材（１１）と第２のケース部材（１０）のケース外面の接合部（Ｊ）が第１のケース部材（１１）の側面の側方向の最大径（Ｌ０）よりも小さい径（Ｌ１）の位置に配置されているので、第１のケース部材（１１）と第２のケース部材（１０）のケース外面の接合部（Ｊ）に直接衝撃が加わりにくく、ケース部材の分離の防止を図ることができる。
【００１１】
また、請求項２に記載の発明は、第１のケース部材（１１）は、釦型電池（１２）と回路基板（１５）の積層方向に延びる第１の係止部（１１ｂ）を有し、第２のケース部材（１０）は、釦型電池（１２）と回路基板（１５）の積層方向に延びる第２の係止部（１０ａ）を有し、第１のケース部材（１１）における第１の係止部（１１ｂ）と第２のケース部材（１０）における第２の係止部（１０ａ）とが互いに係止し合い、第１のケース部材（１１）と第２のケース部材（１０）とが嵌合していることを特徴としている。
【００１２】
このような構成によれば、落下等によりケース側面が地面等に接触してケース側方からの衝撃を受けても、回路基板（１５）の積層方向に延びる第１の係止部（１１ｂ）と第２の係止部（１０ａ）とが互いに係止し合い、第１のケース部材（１１）と第２のケース部材（１０）とが嵌合しているので、第１の係止部（１１ｂ）と第２の係止部（１０ａ）により衝撃が緩和され易く、更に、各ケース部材が分離され難くすることができる。
【００１３】
また、請求項３に記載の発明は、第１のケース部材（１１）の開口縁部と、第２のケース部材（１０）の周縁部には、それぞれネジ山が形成されており、第２のケース部材（１０）を第１のケース部材（１１）にネジ締めして第１のケース部材（１１）と第２のケース部材（１０）とが固定されていることを特徴としている。
【００１４】
このような構成によれば、第１のケース部材（１１）の開口縁部と、第２のケース部材（１０）の周縁部には、それぞれネジ山が形成されており、第２のケース部材（１０）を第１のケース部材（１１）にネジ締めして第１のケース部材（１１）と第２のケース部材（１０）とが固定されているので、第１のケース部材（１１）と第２のケース部材（１０）とを分離し難くすることができる。
【００１５】
また、請求項４に記載の発明は、第１のケース部材（１１）の側面は、第１のケース部材（１１）の底面および第２のケース部材（１０）よりも肉厚となっていることを特徴としている。
【００１６】
このように、第１のケース部材（１１）の側面は、第１のケース部材（１１）の底面および第２のケース部材（１０）よりも肉厚とすることにより、ケースを薄型化しつつ、第１のケース部材（１１）と第２のケース部材（１０）とを分離し難くすることができる。
【００１７】
なお、この欄および特許請求の範囲で記載した各手段の括弧内の符号は、後述する実施形態に記載の具体的手段との対応関係を示すものである。
【図面の簡単な説明】
【００１８】
【図１】本発明の一実施形態に係る携帯型送信機の外観図である。
【図２】図１中のＡ方向から携帯型送信機を見た外観図である。
【図３】本発明の一実施形態に係る携帯型送信機を携帯電話機に取り付けた様子を示した図である。
【図４】携帯型送信機の断面構成を示す図である。
【発明を実施するための形態】
【００１９】
（第１実施形態）
本発明の一実施形態に係る携帯型送信機の外観図を図１に示す。本携帯型送信機１は、車両のドアの施錠、解錠、車両のエンジン等の始動を行うスマートエントリシステムに用いられるもので、車両に搭載された車両側機器（図示せず）との間で、携帯型送信機１の照合のための電波の送受信を行うようになっている。
【００２０】
本携帯型送信機１のケースは、底面および側面を有する第１のケース部材１１と、この第１のケース部材１１の開口部を覆う第２のケース部材１０とを嵌合することにより構成されている。なお、第１のケース部材１１および第２のケース部材１０は、それぞれ樹脂成形により１つの部材として構成されている。
【００２１】
また、第１のケース部材１１は、携帯電話機等に取り付けるための紐を挿通するための穴部１１ａを有している。また、第１のケース部材１１の表面（第１のケース部材１１の底面に相当する）には、リング状のラインＬが印刷されている。
【００２２】
図２は、図１中のＡ方向から本携帯型送信機１を見た外観図である。図に示すように、第１のケース部材１１と第２のケース部材１０のケース外面の接合部Ｊは、ケース側面とケース裏面との間に配置されるように構成されている。
【００２３】
本携帯型送信機１は、図３に示すように、第１のケース部材１１に形成された穴部１１ａを利用して携帯電話機等に取り付けることでアクセサリとしての役割も果たす。
【００２４】
図４に、本携帯型送信機１の断面構成を示す。図に示すように、携帯型送信機１は、第１のケース部材１１と第２のケース部材１０から成るケース内に、釦型電池１２、Ｏリング１３、ターミナル１４および回路基板１５が収納されている。
【００２５】
第１のケース部材１１における側面は、釦型電池１２と回路基板１５の積層方向の中央部が外側に膨らむように丸みを帯びており、第１のケース部材１１と第２のケース部材１０のケース外面の接合部Ｊが、第１のケース部材１１の側面の側方向の最大径Ｌ０よりも小さい径Ｌ１の位置に配置されている。
【００２６】
第１のケース部材１１は、釦型電池１２と回路基板１５の積層方向に延びる複数の爪状の係止部１１ｂを有しており、第２のケース部材１０は、釦型電池１２と回路基板１５の積層方向に延びる複数の爪状の係止部１０ａを有している。第１のケース部材１１における係止部１１ｂと第２のケース部材１０における係止部１０ａとが互いに係止し合い、第１のケース部材１１と第２のケース部材１０とが嵌合するようになっている。
【００２７】
釦型電池１２、ターミナル１４および回路基板１５は、いずれも樹脂製の第１のケース部材１１および第２のケース部材１０を嵌合することにより構成されるケース内に積層配置されるようになっている。
【００２８】
釦型電池１２は、略円柱形状をなしており、プラス電極およびマイナス電極を有している。なお、釦型電池１２の外形寸法は、電池の種類により異なる。
【００２９】
第１のケース部材１１におけるケースの内側となる位置には、釦型電池１２を収納するための凹部が形成されており、この凹部に釦型電池１２が収納されるようになっている。
【００３０】
ターミナル１４は、釦型電池１２の各電極（プラス電極、マイナス電極）と、回路基板１５の裏面に形成された電極パッドとの間の電気的接続を行うものである。本実施形態におけるターミナル１４は、予め、回路基板１５の裏面に形成された電極パッドに半田固定されている。
【００３１】
Ｏリング１３は、第１のケース部材１１と第２のケース部材１０との嵌合部の気密性を確保するためのものである。
【００３２】
回路基板１５は、円形状をなしており、第２のケース部材１０に形成された複数の係止部（図示せず）に対応する位置には、それぞれ切欠部が設けられている。第２のケース部材１０に形成された複数の係止部により回路基板１５の各切欠部が係止されるようになっている。
【００３３】
回路基板１５の表面には、２つの１軸アンテナ１６ａ、１６ｂ、制御回路１６ｃ等の回路素子が搭載されている。また、回路基板１５の裏面には、パターン配線により構成されるパターンアンテナ（図示せず）が形成されている。
【００３４】
１軸アンテナ１６ａ、１６ｂは、近距離用の電波の送信および受信を行うためのものであり、パターンアンテナ１７は、長距離用の電波の送信を行うためのものである。なお、１軸アンテナ１６ａ、１６ｂの送信電波の周波数帯域はＬＦ帯となっており、パターンアンテナ１７の送信電波の周波数帯域は、ＲＦ帯となっている。
【００３５】
１軸アンテナ１６ａと１軸アンテナ１６ｂは、互いに直交するように回路基板１５上に搭載されている。２軸（Ｘ軸、Ｙ軸）対応の２軸アンテナは、チップサイズが大きくなるため、本実施形態では、このように２つの１軸アンテナ１６ａ、１６ｂを直交するように配置して２軸アンテナを構成している。
【００３６】
制御回路１６ｃは、メモリを内蔵したマイコンとして構成されており、メモリに記憶されたプログラムに従って各種処理を実施するようになっている。
【００３７】
本携帯型送信機１は、釦型電池１２および回路基板１５を積層するようにケース内に収納して構成され、釦型電池１２を電源として送信電波を送信する。
【００３８】
次に、本携帯型送信機１の組み付けについて説明する。まず、図４に示すように、第２のケース部材１０を用意した後、第２のケース部材１０に形成された凹部に釦型電池１２を挿入する。
【００３９】
次に、回路基板１５の裏面に固定されたターミナル１４と釦型電池１２の接続が確実となるように、釦型電池１２の上方に回路基板１５を配置し、第１のケース部材１１に形成された係止部により回路基板１５を係止させる。これにより、回路基板１５の裏面と釦型電池１２の上面とが接合され、回路基板１５が固定される。
【００４０】
次に、第２のケース部材１０と第１のケース部材１１との間にＯリング１３を嵌め込むようにした後、第２のケース部材１０の上側から第１のケース部材１１を被せるようにして第１のケース部材１１と第２のケース部材１０を嵌合させ、組み付けが完了する。
【００４１】
上記した構成によれば、ケースは、底面および側面を有する第１のケース部材（１１）と、第１のケース部材（１１）の開口部を覆う第２のケース部材（１０）により構成されており、第１のケース部材（１１）における側面は、釦型電池（１２）と回路基板（１５）の積層方向の中央部が外側に膨らむように丸みを帯びており、第１のケース部材（１１）と第２のケース部材（１０）のケース外面の接合部（Ｊ）が、第１のケース部材（１１）の側面の側方向の最大径（Ｌ０）よりも小さい径（Ｌ１）の位置に配置されているので、ケース外面の接合部（Ｊ）が目立たないようにすることができ、意匠性を確保することができる。また、落下等によりケース側面が地面等に接触しても、第１のケース部材（１１）における側面は、釦型電池（１２）と回路基板（１５）の積層方向の中央部が外側に膨らむように丸みを帯びており、また、第１のケース部材（１１）と第２のケース部材（１０）のケース外面の接合部（Ｊ）が第１のケース部材（１１）の側面の側方向の最大径（Ｌ０）よりも小さい径（Ｌ１）の位置に配置されているので、第１のケース部材（１１）と第２のケース部材（１０）のケース外面の接合部（Ｊ）に直接衝撃が加わりにくく、ケース部材の分離の防止を図ることができる。
【００４２】
また、回路基板１５の積層方向に延びる係止部１１ｂと係止部１０ａとが互いに係止し合い、第１のケース部材１１と第２のケース部材１０とが嵌合しているので、落下等によりケース側面が地面等に接触してケース側方からの衝撃を受けても、係止部１１ｂと係止部１０ａにより衝撃が緩和され、更に、各ケース部材が分離され難くすることができる。
【００４３】
また、第１のケース部材１１の側面は、第１のケース部材１１の底面および第２のケース部材１０よりも肉厚とすることにより、ケースを薄型化しつつ、第１のケース部材１１と第２のケース部材１０とを分離し難くすることができる。
【００４４】
なお、本発明は上記実施形態に限定されるものではなく、本発明の趣旨に基づいて種々なる形態で実施することができる。
【００４５】
例えば、上記実施形態では、第１のケース部材１１と第２のケース部材１０のケース外面の接合部Ｊが、ケース側面とケース裏面との間に配置される構成を示したが、例えば、第１のケース部材１１と第２のケース部材１０のケース外面の接合部Ｊが、ケース側面よりもケース裏面側に配置されるように構成してもよい。
【００４６】
また、上記実施形態では、第１のケース部材１１における第１の係止部１１ｂと第２のケース部材１０における第２の係止部１０ａとが互いに係止し合い、第１のケース部材１１と第２のケース部材１０とが嵌合するように構成したが、例えば、第１のケース部材１１の開口縁部と、第２のケース部材１０の周縁部に、それぞれネジ山を形成し、第２のケース部材１０を第１のケース部材１１にネジ締めして第１のケース部材１１と第２のケース部材１０とを固定して、第１のケース部材１１と第２のケース部材１０とを分離し難くするようにしてもよい。
【００４７】
また、上記実施形態では、ケース表面から見た形状が円形となっているが、必ずしも円形でなくてもよく、例えば、三角形、四角形等の多角形となるように構成してもよい。
【符号の説明】
【００４８】
１    携帯型送信機
１０  第１のケース部材
１１  第２のケース部材
１２  釦型電池
１３  Ｏリング
１４  ターミナル
１５  回路基板
【図１】
2012044647.tif 000003
【図２】
2012044647.tif 000004
【図３】
2012044647.tif 000005
【図４】
2012044647.tif 000006